【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
複数の錠剤を含有する瓶とともに使用するための薬物容器キャップにおいて、
錠剤分配開口を有するケースであって、前記瓶に確実に装着し、前記瓶を閉鎖するキャップ構造物を表すように構成されるケースと、
前記ケースに接続され、少なくとも不働位置と、前記錠剤分配開口が開放され１つの錠剤が放出される分配位置との間を移動可能なドア部材と、
錠剤分配トラックアセンブリであって、前記ケースに取外し可能に接続され、錠剤を前記錠剤分配開口に送るための錠剤傾斜路と、前記錠剤傾斜路から錠剤を受け入れ、前記錠剤分配開口に開口する錠剤分配器スロットを含むインサートとを含み、前記錠剤傾斜路が前記ケースに接続され、中の錠剤と接触するために前記瓶に挿入されるためのものであり、前記インサートが前記錠剤傾斜路から取外し可能であり、前記錠剤傾斜路に装着されるために前記ケースの開口に挿入可能である錠剤分配トラックアセンブリと
を含み、
前記錠剤傾斜路が、選択され、前記ケースの前記開口に挿入され、および前記錠剤傾斜路に接続される前記インサートの少なくとも１つの特性に基づいて前記錠剤傾斜路の特性を修正する垂直に調整可能な部材を含むことを特徴とする薬物容器キャップ。
【請求項２】
請求項１に記載の容器キャップにおいて、さらに、前記ケースが接続される基部を含み、前記基部が、前記インサートを受け入れるためにその周囲に沿って形成された切欠きを含み、前記切欠きが、前記ケースに形成された前記開口と軸方向に整列されることを特徴とする薬物容器キャップ。
【請求項３】
請求項１に記載の容器キャップにおいて、前記ケースが、上側表面と、引込みトラックが形成された側壁とを含み、前記ドア部材が、前記ケースの前記上側表面に配置され、そこで回転可能である上壁と、前記引込みトラック内に受け入れられ、その中を横に移動できるドア部分とを含み、前記不働位置において、前記ドア部分が前記錠剤分配開口を覆い、錠剤が分配されることを防止することを特徴とする容器キャップ。
【請求項４】
請求項３に記載の容器キャップにおいて、前記錠剤傾斜路が、前記ケースの前記上側表面に接続されることを特徴とする容器キャップ。
【請求項５】
請求項３に記載の容器キャップにおいて、前記上側表面が、第１引込みチャネルおよび第２引込みチャネルを含み、前記ドア部材の前記上壁が、第１スロットおよび第２スロットを含み、前記第１引込みスロットの一端が、前記ケースに形成された前記開口と前記錠剤分配スロットの両方に開口し、プランジャ部材が前記第１引込みスロットに受け入れられ、その中で移動可能であり、および前記ドア部材の前記上にある上壁の前記第１スロットに受け入れられるタブを含み、前記プランジャ部材が、前記ドア部材が前記不働位置にある第１の位置を取るように付勢され、および前記プランジャ部材が少なくとも部分的に前記錠剤分配スロット内にあり、前記錠剤分配開口への前記錠剤の移動を防止し、ドア戻し部材が前記第２引込みスロットに受け入れられ、その中で移動可能であり、前記ドア部材の前記上にある上壁の前記第２スロットに受け入れられるタブを含み、前記ドア戻し部材が、前記ドア部材が前記不働位置にある第１の位置を取るように付勢されることを特徴とする容器キャップ。
【請求項６】
請求項５に記載の容器キャップにおいて、前記プランジャ部材が、前記ドア部材の前記装填位置への前記ドア部材の反時計回り移動の結果として第２の位置を取り、前記プランジャ部材に接続された第１付勢部材が、前記装填位置の前記ドア部材の解放により前記ドア部材が前記不働位置に戻されるように前記第２位置においてエネルギーを蓄えることを特徴とする容器キャップ。
【請求項７】
請求項５に記載の容器キャップにおいて、前記ドア戻し部材が、前記ドア部材の前記分配位置への前記ドア部材の時計回り移動の結果として第２の位置を取り、前記ドア戻し部材に接続された第２付勢部材が、前記装填位置の前記ドア部材の解放により前記ドア部材が前記不働位置に戻されるように前記第２位置においてエネルギーを蓄えることを特徴とする容器キャップ。
【請求項８】
請求項５に記載の容器キャップにおいて、さらに、前記ケース内に配置され、延伸位置と後退位置の間で移動する突起を有するアクチュエータを含み、前記延伸位置において、前記突起が前記ドア部材と干渉し、前記ドア部材が前記分配位置へ移動されることを阻止し、前記突起が、選択条件の下で前記後退位置を取り、それにより前記ドア部材が前記分配位置へ自由に移動し、前記錠剤分配開口が開放されて１つの錠剤の放出が可能になることを特徴とする容器キャップ。
【請求項９】
請求項８に記載の容器キャップにおいて、前記アクチュエータが、プロセッサに電子的に接続されたソレノイドであり、前記プロセッサは、前記ケース内に配置され、かつ前記突起が後退されている結果として前記ドア部材が前記分配位置に移動されることを可能にするために選択基準が満たされているかどうかを決定するように構成されることを特徴とする容器キャップ。
【請求項１０】
請求項１に記載の容器キャップにおいて、前記錠剤傾斜路が、中心シャフトの周りに形成された螺旋形状を有し、前記調整可能な部材が、少なくとも部分的に互いに重なる前記錠剤傾斜路の２つの部分の間を移動できるように、前記中心シャフトに移動可能に接続されることを特徴とする容器キャップ。
【請求項１１】
請求項１０に記載の容器キャップにおいて、前記錠剤傾斜路の底部が、前記ケースの前記上側表面に接続され、調整可能な部材の底端が、前記ケースに対して適所に固定された前記インサートに直接接続され、前記調整可能な部材が、前記中心シャフトに、その上端に近接して接続されることを特徴とする容器キャップ。
【請求項１２】
請求項１０に記載の容器キャップにおいて、前記垂直に調整可能な部材が、前記螺旋状に成形された錠剤傾斜路の下にある部分を補完する部分的螺旋形状を有し、その結果、前記調整可能な部材の下側と前記錠剤傾斜路の間に空間が形成され、前記空間は、前記錠剤が前記錠剤分配開口に向かって前記錠剤傾斜路に沿って移動する際に錠剤を受け入れ、前記空間の寸法が、前記錠剤傾斜路に対する前記調整可能な部材の位置に依存して変化できることを特徴とする容器キャップ。
【請求項１３】
請求項１２に記載の容器キャップにおいて、前記中心シャフトが垂直切欠きを含み、前記調整可能な部材が前記垂直切欠きを通って延び、前記中心シャフトの中空の中心内に含まれる内側部分を有し、前記調整可能な部材の前記内側部分が、前記内側部分と前記中心シャフトの上端との間に延びる付勢部材によって前記中空の中心内で付勢され、前記付勢部材により前記調整可能な部材はより低い位置に通常は配置され、その結果前記空間が最小になることを特徴とする容器キャップ。
【請求項１４】
請求項１３に記載の容器キャップにおいて、前記インサートは一端で前記調整可能な部材に結合され、反対端で前記ケースに装着されるので、前記インサートの高さが、前記付勢部材がエネルギーを蓄えるかどうかおよびどれくらい蓄えるかを決定することを特徴とする容器キャップ。
【請求項１５】
請求項１に記載の容器キャップにおいて、さらに、前記瓶を前記ケースから取り外すための前記瓶への自由なアクセスを防止するために前記瓶と前記ケースの間の界面に沿った緊急タブを含み、緊急の際、前記緊急タブを除去して前記ケースからの前記瓶の分離を可能にすることができるように前記緊急タブが構成されることを特徴とする容器キャップ。
【請求項１６】
請求項１に記載の容器キャップにおいて、前記錠剤傾斜路の前記特性が、前記調整可能な部材と、前記錠剤分配スロットに近接する前記錠剤傾斜路との間に画定された少なくともトンネル部分の高さを含み、前記トンネルの高さが、前記錠剤が前記錠剤分配スロットへ錠剤傾斜路に沿って滑ることができる向きを制御し、前記インサートの前記特性が、その高さを含むことを特徴とする容器キャップ。
【請求項１７】
請求項１に記載の容器キャップにおいて、さらに、前記錠剤分配スロット内の１つの錠剤の存在を測定するために前記錠剤分配スロット内に少なくとも部分的に配置された錠剤センサを含むことを特徴とする容器キャップ。
【請求項１８】
請求項１に記載の容器キャップにおいて、以下の基準：（１）錠剤が分配される時間である、および（２）錠剤が前記錠剤分配スロット内で感知される、が満たされる場合にのみ、前記ドア部材が前記分配位置に移動できるように前記プロセッサが構成されることを特徴とする容器キャップ。
【請求項１９】
請求項９に記載の容器キャップにおいて、前記ドア部材の前記上壁が主貫通開口を含み、前記主貫通開口を通って前記インサートおよび錠剤傾斜路が延在し、前記主貫通開口が、成形された端部を有し、前記成形された端部の中に前記アクチュエータの前記突起が延伸位置において延び、それにより前記ケースに対する前記ドア部材の回転を制限し、前記ドア部材の前記分配位置への移動を防止し、前記成形された端部は、前記突起が前記延伸位置にとどまる間に前記ドア部材が前記装填位置に移動できるように構成されることを特徴とする容器キャップ。
【請求項２０】
複数の錠剤を含有する瓶とともに使用するための薬物容器キャップにおいて、
錠剤分配開口を有するケースであって、前記瓶に確実に装着し、前記瓶を閉鎖するキャップ構造物を表すように構成されたケースと、
前記ケースに接続され、不働位置と、前記錠剤分配開口が開放され１つの錠剤が放出される分配位置との間で移動可能なドア部材と、
前記ケースに取外し可能に接続された錠剤分配トラックアセンブリであって、
錠剤を前記錠剤分配開口に送る錠剤傾斜路であって、中心シャフトと、前記中心シャフトの周りに延びる傾斜路とを含む錠剤傾斜路と、
前記錠剤傾斜路から錠剤を受け入れ、前記錠剤分配開口に開口する錠剤分配器スロットを含むインサートであって、前記錠剤傾斜路が前記ケースに接続され、および中の錠剤と接触するために前記瓶に挿入されるためのものであり、前記インサートが前記錠剤傾斜路から取外し可能であり、前記錠剤傾斜路に装着された結果前記錠剤傾斜路が前記錠剤分配スロットと位置が合うように前記ケースの開口に挿入可能であるインサートと、
前記中心シャフトに装着された第１の部分と、前記インサートに装着された第２の部分とを有する垂直に調整可能な部材であって、前記錠剤傾斜路の傾斜路部分の間に配置され、下にある傾斜路部分に面する下側表面を含み、前記調整可能な部材と前記下にある傾斜路部分の間に錠剤空間が画定され、前記錠剤空間の寸法を変えるように垂直軸に沿って調整可能である垂直に調整可能な部材と、
を含む錠剤分配トラックアセンブリと、
を含み、
前記インサートの高さと、前記中心シャフトに沿った前記垂直に調整可能な部材の位置との間に直接的な対応があることを特徴とする薬物容器キャップ。
【請求項２１】
複数の錠剤を含有する瓶とともに使用するための薬物容器キャップにおいて、
錠剤分配開口を有するケースであって、前記瓶に確実に装着し、前記瓶を閉鎖するキャップ構造物を表すように構成されたケースと、
前記ケースに接続され、不働位置と、前記錠剤分配開口が開放され１つの錠剤が放出される分配位置との間で移動可能なドア部材と、
前記ケースに取外し可能に接続された錠剤分配トラックアセンブリであって、
錠剤を前記錠剤分配開口に送る錠剤傾斜路であって、中心シャフトを含み、前記中心シャフトの周りを前記錠剤傾斜路が延びる錠剤傾斜路と、
前記錠剤傾斜路から錠剤を受け入れ、前記錠剤分配開口に開口する錠剤分配器スロットを含むインサートであって、前記錠剤傾斜路が前記ケースに接続され、および中の錠剤と接触するために前記瓶に挿入されるためのものであり、前記インサートが前記錠剤傾斜路から取外し可能であり、前記錠剤傾斜路に装着された結果前記錠剤傾斜路が前記錠剤分配スロットと位置が合うように前記ケースの開口に挿入可能であるインサートと、
垂直に調整可能な部材であって、前記垂直に調整可能な部材が前記中央シャフトに沿って垂直に移動できるような方法で前記中心シャフトに装着された第１の部分と、前記インサートに装着された第２の部分とを有し、前記錠剤傾斜路の傾斜路部分の間に配置され、下にある傾斜路部分に面する下側表面を含み、前記調整可能な部材と前記下にある傾斜路部分の間に錠剤空間が画定され、前記錠剤空間の寸法を変えるように、および所定のサイズを有する錠剤が前記錠剤分配スロットへ移動することをもっぱら可能にするように垂直軸に沿って調整可能である垂直に調整可能な部材と、
を含む錠剤分配トラックアセンブリと、
を含み、
前記インサートの高さと、前記中心シャフトに沿った前記垂直に調整可能な部材の位置との間に直接的な対応があることを特徴とする薬物容器キャップ。
【請求項２２】
請求項２１に記載の容器キャップにおいて、さらに、前記ケースに対する前記ドア部材の移動を制御し、かつ前記ドア部材が前記錠剤分配位置へ選択的に移動することを可能にするアクチュエータを含むことを特徴とする容器キャップ。
【請求項２３】
請求項２２に記載の容器キャップにおいて、前記アクチュエータがカム組立体を含み、前記カム組立体が前記ケース内に配置され、前記カム組立体の主体から上方に延びて付勢され、前記ドア部材の上壁に形成されたスロットに受け入れられる付勢されたピンを含み、前記ピンが前記主体に形成された垂直の穴の中で移動可能であり、前記主体が前記主体に形成された切欠きを含み、前記切欠きが前記垂直の穴に開口し、前記カム組立体がさらに、前記ピンと前記ドア部材の間に干渉をもたらし、前記ケースに対する前記ドア部材の回転を防止し、それにより前記ドア部材が前記錠剤分配位置へ移動することを防止するように延伸位置に前記ピンを固定するために前記切欠きに受け入れられるようにサイズ決めされた被駆動カム部材を含むことを特徴とする容器キャップ。
【請求項２４】
請求項２３に記載の容器キャップにおいて、前記カム部材がモータによって制御可能に駆動され、前記モータは、前記主体によって支持され、かつ制御器に動作可能に接続され、前記制御器は、１つの錠剤を分配するのに適切な時間であることを示す所定の条件が存在するときに前記カム部材が前記切欠きの外に配置されることをもっぱら可能にすることを特徴とする容器キャップ。
【請求項２５】
請求項２３に記載の容器キャップにおいて、前記ピンが通常は前記延伸位置にばね付勢され、前記スロットを画定する前記ドア部材の前記上壁の縁部が斜面を有し、前記斜面が、前記カム部材が前記切欠きから移動されたとき、前記ピンと係合して前記ピンを後退位置へ前記垂直の穴の中に下方へ押し込むことを特徴とする容器キャップ。
【請求項２６】
請求項２３に記載の容器キャップにおいて、前記錠剤傾斜路の前記中心シャフトが、前記ケースに形成された非円形開口内に摩擦によって保持されることによって、前記ケースに摩擦によって接続されることを特徴とする容器キャップ。
【請求項２７】
請求項２３に記載の容器キャップにおいて、さらに、１つの錠剤が前記インサートの前記錠剤分配スロット内にあるかどうかを感知する錠剤センサを含むことを特徴とする容器キャップ。
【請求項２８】
複数の錠剤を含有する瓶とともに使用するためのキャップであって、
前記瓶に確実に装着し、前記瓶を閉鎖するキャップ構造物を表すように構成されるケースと、
錠剤分配トラックアセンブリであって、前記ケースに取外し可能に接続され、かつ錠剤を錠剤分配器スロットに送るための調整可能な錠剤傾斜路を含み、前記錠剤分配器スロットからユーザに錠剤が分配されるものであり、前記錠剤傾斜路は、錠剤分配位置において、錠剤が整列されて前記錠剤傾斜路に沿って前記錠剤分配器スロットへとスライドし、錠剤が前記錠剤分配器スロットに入って前記錠剤分配器スロット内に保持されるように構成されている、錠剤分配トラックアセンブリと、
前記錠剤分配器スロットから一度に１つの錠剤のみが分配されるように、前記錠剤分配器スロットに対して配置されるとともに構成された錠剤分配機構と、
を備えることを特徴とするキャップ。
【請求項２９】
請求項２８に記載のキャップにおいて、前記錠剤分配機構が、自由端部を有するばねで付勢されたプランジャを備え、選択事象が発生するまで、次に分配される錠剤が前記錠剤分配器スロット内に移動しないように、前記自由端部が前記錠剤分配器スロット内に選択的に受け入れられること特徴とするキャップ。
【請求項３０】
請求項２９に記載のキャップにおいて、前記ばねで付勢されたプランジャが、円弧状を有しかつトラック内を移動するものであり、前記自由端部が、前記１つの錠剤が分配されるときに、前記錠剤分配器スロット内に当該自由端部が選択的に受け入れられるように付勢された前記プランジャの端部を含むことを特徴とするキャップ。
【請求項３１】
請求項２８に記載のキャップにおいて、前記錠剤分配器スロットの錠剤分配位置内にある前記１つの錠剤の存在を感知し、かつ前記１つの錠剤の分配を感知するように構成された錠剤センサをさらに備えることを特徴とするキャップ。
【請求項３２】
請求項２８に記載のキャップにおいて、前記調整可能な錠剤傾斜路が、位置が変化しない固定傾斜路部分と、移動可能な傾斜路部分とを含み、前記移動可能な傾斜路部分は、複数の異なる錠剤分配位置の間で当該移動可能な傾斜路部分が移動できるように、付勢部材に連結されていることを特徴とするキャップ。
【請求項３３】
請求項３２に記載のキャップにおいて、初期の位置において、前記移動傾斜路部分がより低い錠剤分配位置に配置されるように、前記付勢部材が付勢力を与えることを特徴とするキャップ。
【請求項３４】
請求項３３に記載のキャップにおいて、前記調整可能な錠剤傾斜路が、中心シャフトの周りに形成された螺旋形状を有し、前記移動可能な傾斜路部分が、少なくとも部分的に互いに重なる２つの固定傾斜路部分の間を移動可能であることを特徴とするキャップ。